(57)【要約】【課題】光コネクタアダプタとの接続状態において光ファイバケーブルが垂直方向へ略直角に折り曲げられ、又は、接続状態において光ファイバケーブルが水平方向へ略直角に折り曲げられ、ＭＰＯ光コネクタプラグに所定の引っ張り荷重が作用したとしても、光ファイバ接続を維持することができるＭＰＯ光コネクタプラグを提供する。【解決手段】ＭＰＯ光コネクタプラグ１０では、インナーハウジング１３の後部であって頂底壁と両側壁とが交差する４つの各角に４つの各角の対角線に対向する角に向かって凸となる第１〜第４凸部が形成され、一対の係合アームを後端開口からインナーハウジング１３の内部に挿入したときに、係合アームの後端部の外周が第１〜第４凸部に囲繞される。【選択図】図１
2020170135.tif 000002
【特許請求の範囲】
【請求項１】
複数本の光ファイバを保持している多芯角型フェルールと、前記多芯角型フェルールを収容しているインナーハウジングと、前記インナーハウジングに係合しているスプリングプッシュと、前記多芯角型フェルールと前記スプリングプッシュとの間に配置されて該多芯角型フェルールを軸方向前方へ付勢しているばねとを有し、
前記インナーハウジングが、軸方向へ延びる頂底壁と、前記頂底壁の間に位置して軸方向へ延びる両側壁とから形成されているとともに、軸方向前方に位置する前部と、軸方向後方に位置する後部と、前記前部と前記後部との間に延びる中間部と、前記頂底壁及び前記両側壁の前端に囲繞されて軸方向前方に開口する横方向へ長い矩形の前端開口と、前記頂底壁及び前記両側壁の後端に囲繞されて軸方向後方に開口する横方向へ長い矩形の後端開口とを備え、
前記スプリングプッシュが、前記インナーハウジングの前記頂底壁と前記両側壁との後端に位置するベースと、前記ベースから軸方向前方へ延びていて前記インナーハウジングの内部に係合する一対の係合アームと、前記ベースから軸方向後方へ延びるパイプとを備えたＭＰＯ光コネクタプラグにおいて、
前記インナーハウジングの後部であって前記頂底壁と前記両側壁とが交差する４つの各角には、前記４つの各角の対角線に対向する角に向かって凸となる凸部が形成され、前記一対の係合アームを前記後端開口から前記インナーハウジングの内部に挿入したときに、前記係合アームの後端部の外周がそれら凸部に囲繞されることを特徴とするＭＰＯ光コネクタプラグ。
【請求項２】
前記インナーハウジングの後部が、前記中間部の側に位置する前半分と、前記後端開口の側に位置する後半分とに区分され、前記頂底壁と前記両側壁とが交差する４つの各角に形成された前記４つの凸部が、前記インナーハウジングの頂底壁及び両側壁の後端から軸方向前方に向かって延びているとともに、該インナーハウジングの後部の後半分の範囲に形成されている請求項１に記載のＭＰＯ光コネクタプラグ。
【請求項３】
軸方向前方に向かうにつれて前記インナーハウジングの内方へ次第に傾斜し又は該インナーハウジングの内方へ向かって面取りされたガイドが、前記インナーハウジングの後部の後半分を画成する両側壁に形成され、前記凸部の軸方向の長さ寸法が、前記インナーハウジングの後部の後半分の軸方向の長さ寸法と略同一である請求項１又は請求項２に記載のＭＰＯ光コネクタプラグ。
【請求項４】
前記スプリングプッシュが、前記係合アームの前端部に形成されて径方向外方へ凸となり、前記インナーハウジングの中間部に形成された係入孔に係入する係合爪を含み、縦方向へ離間するそれら凸部どうしの離間寸法が、前記係合アームの係合爪の縦方向の寸法と略同一又は該係合アームの係合爪の縦方向の寸法よりもわずかに大きい請求項１ないし請求項３いずれかに記載のＭＰＯ光コネクタプラグ。
【請求項５】
前記スプリングプッシュのパイプが、金属材料から作られている請求項１ないし請求項４いずれかに記載のＭＰＯ光コネクタプラグ。
【請求項６】
請求項１ないし請求項５いずれかに記載の前記ＭＰＯ光コネクタプラグが、光ファイバケーブルの端末部に取り付けられているＭＰＯ光コネクタプラグ付きケーブルである。
【発明の詳細な説明】
【技術分野】
【０００１】
本発明は、ＭＰＯ光コネクタプラグに関する。
【背景技術】
【０００２】
光ファイバを接続するために接合される多芯角型フェルールと、多芯角型フェルールの接合位置を案内するガイドピンがフェルール側から挿通されて取り付けられるピンクランプとを備え、多芯角型フェルールとピンクランプとがバネ材によって弾圧されてインナーハウジングの内部に収容されたＭＰＯ光コネクタプラグが開示されている（特許文献１参照）。ハウジングは、インナーハウジングとアウターハウジングとから形成されている。ハウジングには、ピンクランプの位置を固定するロック部材が挿入される開口窓が形成されている。
【０００３】
インナーハウジングは、多芯角型フェルール、ピンクランプ、バネ材を内部に収容し、多芯角型フェルールの接合の際に光コネクタアダプタに係合する。アウターハウジングは、インナーハウジングの外側にスライド可能に嵌合され、インナーハウジングの光コネクタアダプタへの係合をロックする。開口窓は、インナーハウジング、アウターハウジングの双方に形成されてアウターハウジングのスライドによってロック部材が挿入されるように位置決めされる。
【先行技術文献】
【特許文献】
【０００４】
【特許文献１】特開２００８−２９２６０４号公報
【発明の概要】
【発明が解決しようとする課題】
【０００５】
前記特許文献１に一例として開示されているＭＰＯ光コネクタプラグは、インナーハウジングにスプリングプッシュが挿入され、スプリングプッシュの係合アームがインナーハウジングに係合し、スプリングプッシュがインナーハウジングに固定される。ＭＰＯ光コネクタプラグでは、スプリングプッシュの軸方向へ延びるパイプにカシメリングが嵌合し、カシメリングに軸方向へ延びるブーツが固定される。ブーツから軸方向後方へ光ファイバケーブルが延出する。
【０００６】
この種のＭＰＯ光コネクタプラグは、それを所定の光コネクタアダプタに接続した状態において、ブーツから軸方向後方へ延びる光ファイバケーブルが垂直方向（縦方向）へ略直角に折り曲げられた状態で引っ張られたときのＭＰＯ光コネクタプラグの平均破壊荷重が低く、光コネクタアダプタとの接続状態において光ファイバケーブルが水平方向（横方向）へ略直角に折り曲げられた状態で引っ張られたときのＭＰＯ光コネクタプラグの平均破壊荷重も低い。
【０００７】
したがって、光コネクタアダプタとの接続状態において光ファイバケーブルが垂直方向へ略直角に折り曲げられ、又は、接続状態において光ファイバケーブルが水平方向へ略直角に折り曲げられた状態で引っ張られた場合、光ファイバケーブルに作用する引っ張り荷重によってＭＰＯ光コネクタプラグが破壊され、光ファイバ接続が切断される場合がある。
【０００８】
本発明の目的は、光コネクタアダプタとの接続状態において光ファイバケーブルが垂直方向（縦方向）及び水平方向（横方向）へ略直角に折り曲げられた状態で引っ張られたときのＭＰＯ光コネクタプラグの平均破壊荷重を高くすることができ、光ファイバ接続が不用意に解除される切断事故を防ぐことができるＭＰＯ光コネクタプラグを提供することにある。
【課題を解決するための手段】
【０００９】
前記課題を解決するための本発明の前提は、複数本の光ファイバを保持している多芯角型フェルールと、多芯角型フェルールを収容しているインナーハウジングと、インナーハウジングに係合しているスプリングプッシュと、多芯角型フェルールとスプリングプッシュとの間に配置されて多芯角型フェルールを軸方向前方へ付勢しているばねとを有し、インナーハウジングが、軸方向へ延びる頂底壁と、頂底壁の間に位置して軸方向へ延びる両側壁とから形成されているとともに、軸方向前方に位置する前部と、軸方向後方に位置する後部と、前部と後部との間に延びる中間部と、頂底壁及び両側壁の前端に囲繞されて軸方向前方に開口する横方向へ長い矩形の前端開口と、頂底壁及び両側壁の後端に囲繞されて軸方向後方に開口する横方向へ長い矩形の後端開口とを備え、スプリングプッシュが、インナーハウジングの頂底壁と両側壁との後端に位置するベースと、ベースから軸方向前方へ延びていてインナーハウジングの内部に係合する一対の係合アームと、ベースから軸方向後方へ延びるパイプとを備えたＭＰＯ光コネクタプラグである。
【００１０】
前記前提における本発明のＭＰＯ光コネクタプラグの特徴は、インナーハウジングの後部であって頂底壁と両側壁とが交差する４つの各角には、４つの各角の対角線に対向する角に向かって凸となる凸部が形成され、一対の係合アームを後端開口からインナーハウジングの内部に挿入したときに、係合アームの後端部の外周がそれら凸部に囲繞されることにある。
【００１１】
本発明のＭＰＯ光コネクタプラグの一例としては、インナーハウジングの後部が、中間部の側に位置する前半分と、後端開口の側に位置する後半分とに区分され、頂底壁と両側壁とが交差する４つの各角に形成された４つの凸部が、インナーハウジングの頂底壁及び両側壁の後端から軸方向前方に向かって延びているとともに、インナーハウジングの後部の後半分の範囲に形成されている。
【００１２】
本発明のＭＰＯ光コネクタプラグの他の一例としては、軸方向前方に向かうにつれてインナーハウジングの内方へ次第に傾斜し又はインナーハウジングの内方へ向かって面取りされたガイドが、インナーハウジングの後部の後半分を画成する両側壁に形成され、凸部の軸方向の長さ寸法が、インナーハウジングの後部の後半分の軸方向の長さ寸法と略同一である。
【００１３】
本発明のＭＰＯ光コネクタプラグの他の一例としては、スプリングプッシュが、係合アームの前端部に形成されて径方向外方へ凸となり、インナーハウジングの中間部に形成された係入孔に係入する係合爪を含み、縦方向へ離間するそれら凸部どうしの離間寸法が、係合アームの係合爪の縦方向の寸法と略同一又は係合アームの係合爪の縦方向の寸法よりもわずかに大きい。
【００１４】
本発明のＭＰＯ光コネクタプラグの他の一例としては、スプリングプッシュのパイプが、金属材料から作られている。
【００１５】
本発明のＭＰＯ光コネクタプラグの他の一例としては、ＭＰＯ光コネクタプラグが、光ファイバケーブルの端末部に取り付けられているＭＰＯ光コネクタプラグ付きケーブルである。
【発明の効果】
【００１６】
本発明に係るＭＰＯ光コネクタプラグによれば、インナーハウジングの頂底壁と両側壁とが交差する４つの各角の対角線に対向する角に向かって凸となる凸部がインナーハウジングの後部であってそれら４つの各角に形成され、一対の係合アームをインナーハウジングの後端開口からインナーハウジングの内部に挿入したときに、係合アームの後端部の外周がそれら凸部に囲繞され、所定の外力によってそれら係合アームがインナーハウジングの内部において遊動したときに、係合アームの後端部が第１〜第４凸部に支持されるから、係合アームに外力が作用した場合の係合アームの撓りや撓み、捩れ等の変形がそれら凸部によって防止され、ＭＰＯ光コネクタプラグを所定の光コネクタアダプタに接続した状態において、光ファイバケーブルが垂直方向（縦方向）及び水平方向（横方向）へ略直角に折り曲げられた状態で引っ張られたときのＭＰＯ光コネクタプラグの平均破壊荷重を高くすることができ、光ファイバ接続を維持することができるとともに、光ファイバ接続が不用意に解除される切断事故を防ぐことができる。
【００１７】
請求項２に記載のＭＰＯ光コネクタプラグは、第１〜第４凸部がインナーハウジングの頂底壁及び両側壁の後端から軸方向前方に向かって延びているとともにインナーハウジングの後部の後半分の範囲に形成されており、一対の係合アームを後端開口からインナーハウジングの内部に挿入したときに、インナーハウジングの頂底壁及び両側壁の後端から軸方向前方に向かって延びるそれら第１〜第４凸部に係合アームの後端を含む後端部が確実に囲繞され、所定の外力によってそれら係合アームがインナーハウジングの内部において遊動したときに、係合アームの後端部が第１〜第４凸部に支持されるから、係合アームに外力が作用した場合の係合アームの撓りや撓み、捩れ等の変形がそれら凸部によって防止され、光コネクタアダプタとの接続状態において光ファイバケーブルが垂直方向（縦方向）及び水平方向（横方向）へ略直角に折り曲げられた状態で引っ張られたときのＭＰＯ光コネクタプラグの平均破壊荷重を高くすることができ、光ファイバケーブルに所定の引っ張り荷重が作用したときの接続の不用意な解除を防ぐことができる。
【００１８】
請求項３に記載のＭＰＯ光コネクタプラグは、軸方向前方に向かうにつれてインナーハウジングの内方へ次第に傾斜し又はインナーハウジングの内方へ向かって面取りされたガイドがインナーハウジングの後部の後半分を画成する両側壁に形成され、スプリングプッシュの一対の係合アームを後端開口からインナーハウジングの内部に挿入するときに、それら係合アームがガイドに沿って弾性変形するから、それら係合アームをインナーハウジングの内部に容易に挿入することができ、それら係合アームをインナーハウジングの内部に容易に係合させることができる。ＭＰＯ光コネクタプラグは、それら凸部の軸方向の長さ寸法が前記インナーハウジングの後部の後半分の長さ寸法と略同一であり、ガイドが形成されたインナーハウジングの後部の後半分の強度がそれら凸部によって補強されるから、光コネクタプラグとの接続状態において光ファイバケーブルが垂直方向（縦方向）及び水平方向（横方向）へ略直角に折り曲げられた状態で引っ張られたときのインナーハウジングの後部の破損を防ぐことができ、光ファイバケーブルに所定の引っ張り荷重が作用したとしても、光ファイバ接続を維持することができ、光ファイバ接続が不用意に解除される切断事故を防ぐことができる。
【００１９】
請求項４に記載のＭＰＯ光コネクタプラグは、縦方向へ離間するそれら凸部どうしの離間寸法が係合アームの係合爪の縦方向の寸法と略同一又は係合アームの係合爪の縦方向の寸法よりもわずかに大きいから、スプリングプッシュの一対の係合アームを後端開口からインナーハウジングの内部に挿入するときに、それら係合アームの係合爪がそれら凸部に当接することはなく、係合爪がそれら凸部の間に挿通され、それら凸部が邪魔になることはなく、それら係合アームをインナーハウジングの内部に容易に挿入することができ、さらにそれら係合アームをインナーハウジングの内部に容易に係合させることができる。
【００２０】
請求項５に記載のＭＰＯ光コネクタプラグは、スプリングプッシュのパイプが金属材料から作られているから、パイプの強度が高く、光コネクタアダプタとの接続状態において光ファイバケーブルが垂直方向（縦方向）及び水平方向（横方向）へ略直角に折り曲げられた状態で引っ張られたときに所定の荷重がパイプに作用したとしても、パイプが破損することはなく、パイプが破損することによる光ファイバ接続の切断を防ぐことができる。
【００２１】
請求項６に記載のＭＰＯ光コネクタプラグは、ＭＰＯ光コネクタプラグが光ファイバケーブルの端末部に取り付けられているＭＰＯ光コネクタプラグ付きケーブルであり、ＭＰＯ光コネクタプラグを所定の光コネクタアダプタに接続した状態で、ＭＰＯ光コネクタプラグの後端部から軸方向後方へ延びる光ファイバケーブルを垂直方向（縦方向）及び水平方向（横方向）へ略直角に折り曲げた状態で光ファイバケーブルが引っ張られたときのＭＰＯ光コネクタプラグの平均破壊荷重が高く、光ファイバケーブルに所定の引っ張り荷重が作用したとしても、光ファイバ接続を維持することができ、光ファイバ接続が不用意に解除される切断事故を防ぐことができる。
【図面の簡単な説明】
【００２２】
【図１】一例として示すＭＰＯ光コネクタプラグの斜視図。
【図２】ＭＰＯ光コネクタプラグの分解斜視図。
【図３】図１のＡ−Ａ線矢視断面図。
【図４】インナーハウジングの斜視図。
【図５】インナーハウジングの背面図。
【図６】図５のＢ−Ｂ線矢視断面図。
【図７】スプリングプッシュをインナーハウジングに係合させる以前の状態で示すそれらの斜視図。
【図８】スプリングプッシュをインナーハウジングに係合させた状態のそれらの斜視図。
【図９】図８のＣ−Ｃ線矢視断面図。
【図１０】他の一例として示すインナーハウジングの斜視図。
【図１１】図１０のインナーハウジングの背面図。
【図１２】縦曲げ引っ張り試験を示すとともに縦曲げ引っ張り試験の結果を表示した図。
【図１３】横曲げ引っ張り試験を示すとともに横曲げ引っ張り試験の結果を表示した図。
【発明を実施するための形態】
【００２３】
一例として示すＭＰＯ光コネクタプラグ１０の斜視図である図１等の添付の図面を参照し、本発明にかかる光コネクタプラグの詳細を説明すると、以下のとおりである。なお、図２は、ＭＰＯ光コネクタプラグ１０の分解斜視図であり、図３は、図１のＡ−Ａ線矢視断面図である。図４は、インナーハウジングの斜視図であり、図５は、インナーハウジングの背面図である。図６は、図５のＢ−Ｂ線矢視断面図である。図１では、軸方向を矢印Ｘ、縦方向を矢印Ｙで示し、横方向を矢印Ｚで示す。
【００２４】
ＭＰＯ光コネクタプラグ１０は、光ファイバケーブルの端末部に取り付けられ、光コネクタアダプタ７３（図１２，１３参照）に接続することで光ファイバどうしの接続に使用される。ＭＰＯ光コネクタプラグ１０は、多芯角型フェルール１１、フェルールブーツ１２、多芯角型フェルール１１及びフェルールブーツ１２を収容するインナーハウジング１３、インナーハウジング１３の外側に嵌合するアウターハウジング１４、一対のハウジング用スプリング１５、ピンキーパー１６、スプリング１７（ばね）、スプリングプッシュ１８、カシメリング１９、リング２０、ブーツ２１から形成されている。図２の分解斜視図では、軸方向前方から後方に向かってアウターハウジング１４、それらハウジング用スプリング１５、インナーハウジング１３、多芯角型フェルール１１、フェルールブーツ１２、ピンキーパー１６、スプリング１７（ばね）、スプリングプッシュ１８、カシメリング１９、リング２０、ブーツ２１の順に並んでいる。
【００２５】
多芯角型フェルール１１は、合成樹脂材料から作られ、軸方向へ延びる複数本の光ファイバ２２をその内部に保持する。多芯角型フェルール１１は、軸方向へ長い略直方体状に成形され、その軸方向先端に光ファイバ２２の端面が露出する先端面２３を有する。多芯角型フェルール１１は、インナーハウジング１３の内部に収容される。
【００２６】
フェルールブーツ１２は、合成樹脂材料又はゴム材料から作られ、所定の弾性を有して軸方向へ長い略直方体状に成形されている。フェルールブーツ１２は、多芯角型フェルール１１の内部に収容さる。フェルールブーツ１２の内部には、光ファイバ２２を内蔵した複数の光ファイバ素線２４が挿通される。フェルールブーツ１２は、それら光ファイバ２２の折損を防止する。
【００２７】
インナーハウジング１３は、合成樹脂材料から作られ、軸方向へ長い中空の略直方体状に成形されている。インナーハウジング１３は、軸方向へ延びる略長方形の頂壁２５と、軸方向へ延びる略長方形の底壁２６と、頂壁２５及び底壁２６の間に位置して軸方向へ延びる両側壁２７，２８とから形成されている。
【００２８】
インナーハウジング１３は、軸方向前方に位置する前部２９と、軸方向後方に位置する後部３０と、前部２９及び後部３０の間に延びる中間部３１と、軸方向前方に開口する横方向へ長い矩形の前端開口３２と、軸方向後方に開口する横方向へ長い矩形の後端開口３３とを有する。前端開口３２は、頂底壁２５，２６及び両側壁２７，２８の前端３４に囲繞されている。後端開口３３は、頂底壁２５，２６及び両側壁２７，２８の後端３５に囲繞されている。
【００２９】
インナーハウジング１３の前部２９に延びる両側壁２７，２８には、それらハウジング用スプリング１５を収容するスプリング収容部３６が形成されている。スプリング収容部３６は、インナーハウジング１３の横方向内方（内側）へ向かって凹んでいる。インナーハウジング１３の中間部３１に延びる両側壁２７，２８には、スプリングプッシュ１８の後記するそれら係合アーム６４，６５の係合爪６８が係脱可能に係入する係入孔３７が穿孔されている。
【００３０】
インナーハウジング１３は、その後部３０が中間部３１の側に位置する前半分３８と後端開口３３の側に位置する後半分３９とに区分されている。インナーハウジング１３の後部３０の後半分３９を画成する両側壁２７，２８には、軸方向前方に向かうにつれてインナーハウジング１３の横方向内方（内側）へ次第に傾斜するガイド４０が形成されている。なお、インナーハウジング１３の横方向内方（内側）へ向かって面取りされたガイドがインナーハウジング１３の後部３０の後半分３９を画成する両側壁２７，２８に形成されていてもよい。
【００３１】
インナーハウジング１３では、その後部３０を形成する頂底壁２５，２６及び両側壁２７，２８の厚み寸法が前部２９及び中間部３１を形成する頂底壁２５，２６及び両側壁２７，２８の厚み寸法よりも大きい。また、インナーハウジング１３の後部３０では、後部３０の後半分３９の両側壁２７，２８の厚み寸法が後部３０の前半分３８の両側壁２７，２８の厚み寸法よりも小さい。
【００３２】
インナーハウジング１３の後部３０であって頂壁２５と一方の側壁２７とが交差する第１角４１の内面には、インナーハウジング１３の内方（内側）へ向かって（底壁２６と他方の側壁２８とが交差する第４角（第１角４１の対角線に対向する第４角５３）へ向かって）凸となる第１凸部４２が形成されている。
【００３３】
第１凸部４２は、インナーハウジング１３の頂壁２５の後端３５と一方の側壁２７の後端３５とから軸方向前方へ向かって延びているとともに、インナーハウジング１３の後部３０の後半分３９に延びている。なお、第１凸部４２は、インナーハウジング１３の後部３０の後半分３９の範囲に形成されていればよい。
【００３４】
第１凸部４２は、その断面形状が四角形に成形され、一方の側壁２７の内面に平行して頂壁２５の内面から下方へ延びる縦辺４３と、頂壁２５の内面に平行して一方の側壁２７の内面から横方向へ延びる横辺４４とを有する。第１凸部４２の軸方向の長さ寸法は、インナーハウジング１３の後部３０の後半分３９の軸方向の長さ寸法と略同一である。
【００３５】
インナーハウジング１３の後部３０であって頂壁２５と他方の側壁２８とが交差する第２角４５の内面には、インナーハウジング１３の内方（内側）へ向かって（底壁２６と一方の側壁２７とが交差する第３角（第２角４５の対角線に対向する第３角４９）へ向かって）凸となる第２凸部４６が形成されている。
【００３６】
第２凸部４６は、インナーハウジング１３の頂壁２５の後端３５と他方の側壁２８の後端３５とから軸方向前方へ向かって延びているとともに、インナーハウジング１３の後部３０の後半分３９に延びている。なお、第２凸部４６は、インナーハウジング１３の後部３０の後半分３９の範囲に形成されていればよい。
【００３７】
第２凸部４６は、その断面形状が四角形に成形され、他方の側壁２８の内面に平行して頂壁２５の内面から下方へ延びる縦辺４７と、頂壁２５の内面に平行して他方の側壁２８の内面から横方向へ延びる横辺４８とを有する。第２凸部４６の軸方向の長さ寸法は、インナーハウジング１３の後部３０の後半分３９の軸方向の長さ寸法と略同一である。
【００３８】
インナーハウジング１３の後部３０であって底壁２６と一方の側壁２７とが交差する第３角４９の内面には、インナーハウジング１３の内方（内側）へ向かって（頂壁２５と他方の側壁２８とが交差する第２角４５（第３角４９の対角線に対向する第２角４５）へ向かって）凸となる第３凸部５０が形成されている。
【００３９】
第３凸部５０は、インナーハウジング１３の底壁２６の後端３５と一方の側壁２７の後端３５とから軸方向前方へ向かって延びているとともに、インナーハウジング１３の後部３０の後半分３９に延びている。なお、第３凸部５０は、インナーハウジング１３の後部３０の後半分３９の範囲に形成されていればよい。
【００４０】
第３凸部５０は、その断面形状が四角形に成形され、一方の側壁２７の内面に平行して底壁２６の内面から上方へ延びる縦辺５１と、底壁２６の内面に平行して一方の側壁２７の内面から横方向へ延びる横辺５２とを有する。第３凸部５０の軸方向の長さ寸法は、インナーハウジング１３の後部３０の後半分３９の軸方向の長さ寸法と略同一である。
【００４１】
インナーハウジング１３の後部３０であって底壁２６と他方の側壁２８とが交差する第４角５３の内面には、インナーハウジング１３の内方（内側）へ向かって（頂壁２５と一方の側壁２７とが交差する第１角４１（第４角５３の対角線に対向する第１角４１）へ向かって）凸となる第４凸部５４が形成されている。
【００４２】
第４凸部５４は、インナーハウジング１３の底壁２６の後端３５と他方の側壁２８の後端３５とから軸方向前方へ向かって延びているとともに、インナーハウジング１３の後部３０の後半分３９に延びている。なお、第４凸部５４は、インナーハウジング１３の後部３０の後半分３９の範囲に形成されていればよい。
【００４３】
第４凸部５４は、その断面形状が四角形に成形され、他方の側壁２８の内面に平行して底壁２６の内面から上方へ延びる縦辺５５と、底壁２６の内面に平行して他方の側壁２８の内面から横方向へ延びる横辺５６とを有する。第４凸部５４の軸方向の長さ寸法は、インナーハウジング１３の後部３０の後半分３９の軸方向の長さ寸法と略同一である。第１〜第４凸部４２，４６，５０，５４は、軸方向の長さ寸法が同一であり、その形状及び大きさが同一である。
【００４４】
インナーハウジング１３では、第１凸部４２と第２凸部４６とがインナーハウジング１３の頂壁２５において横方向へ離間対向し、インナーハウジング１３の頂壁２５における第１凸部４２と第２凸部４６との横方向の離間寸法がスプリングプッシュ１８のそれら係合アーム６４，６５の外側面６７どうしの横方向の離間寸法と略同一又はそれら係合アーム６４，６５の外側面６７どうしの横方向の離間寸法よりもわずかに大きい。
【００４５】
インナーハウジング１３では、第３凸部５０と第４凸部５４とがインナーハウジング１３の底壁２６において横方向へ離間対向し、インナーハウジング１３の底壁２６における第３凸部５０と第４凸部５４との横方向の離間寸法がスプリングプッシュ１８のそれら係合アーム６４，６５の外側面６７どうしの横方向の離間寸法と略同一又はそれら係合アーム６４，６５の外側面６７どうしの横方向の離間寸法よりもわずかに大きい。
【００４６】
インナーハウジング１３では、第１凸部４２と第３凸部５０とがインナーハウジング１３の一方の側壁２７において縦方向へ離間対向し、インナーハウジング１３の一方の側壁２７における第１凸部４２と第３凸部５０との縦方向の離間寸法がスプリングプッシュ１８のそれら係合アーム６４，６５の後記する係合爪６８の縦方向の寸法と略同一又はそれら係合アーム６４，６５の係合爪６８の縦方向の寸法よりもわずかに大きい。
【００４７】
インナーハウジング１３では、第２凸部４６と第４凸部５４とがインナーハウジング１３の他方の側壁２８において縦方向へ離間対向し、インナーハウジング１３の他方の側壁２８における第２凸部４６と第４凸部５４との縦方向の離間寸法がスプリングプッシュ１８のそれら係合アーム６４，６５の係合爪６８の縦方向の寸法と略同一又はそれら係合アーム６４，６５の係合爪６８の縦方向の寸法よりもわずかに大きい。
【００４８】
第１凸部４２と第３凸部５０とは、ガイド４０が形成されることで厚み寸法が小さくなったインナーハウジング１３の後部３０の後半分３９を形成する一方の側壁２７を補強する。インナーハウジング１３の後部３０の後半分３９に第１凸部４２及び第３凸部５０を形成することによって後部３０の後半分３９の一方の側壁２７の強度が増加する。
【００４９】
第２凸部４６と第４凸部５４とは、ガイド４０が形成されることで厚み寸法が小さくなったインナーハウジング１３の後部３０の後半分３９を形成する他方の側壁２８を補強する。インナーハウジング１３の後部３０の後半分３９に第２凸部４６及び第４凸部５４を形成することによって後部３０の後半分３９の他方の側壁２８の強度が増加する。
【００５０】
アウターハウジング１４は、合成樹脂材料から作られ、軸方向へ長い中空の略直方体状に成形されている。アウターハウジング１４は、軸方向へ延びる略長方形の頂壁５７と、軸方向へ延びる略長方形の底壁５８と、頂壁５７及び底壁５８の間に位置して軸方向へ延びる略長方形の両側壁５９，６０とから形成されている。アウターハウジング１４は、その頂壁５７がインナーハウジング１３の頂壁２５に摺動可能に重なり、その底壁５８がインナーハウジング１３の底壁２６に摺動可能に重なるとともに、その両側壁５９，６０がインナーハウジング１３の両側壁２７，２８に摺動可能に重なった状態で、インナーハウジング１３に嵌合する。アウターハウジング１４は、インナーハウジング１３に嵌合した状態で、軸方向前方と軸方向後方とへスライド可能である。
【００５１】
それらハウジング用スプリング１５は、インナーハウジング１３のスプリング収容部３６に収容され、インナーハウジング１３とアウターハウジング１４との間に設置される。それらハウジング用スプリング１５は、その前端がアウターハウジング１４に当接し、その後端がインナーハウジング１３のスプリング収容部３６に当接し、アウターハウジング１４を軸方向前方へ付勢する。
【００５２】
それらハウジング用スプリング１５の弾性力に抗してアウターハウジング１４を軸方向後方へ押圧することで、アウターハウジング１４がインナーハウジング１３の軸方向後方へスライドし、軸方向後方へスライドさせたアウターハウジング１４に作用する押圧力を解除すると、それらハウジング用スプリング１５の弾性力によってアウターハウジング１４がインナーハウジング１３の軸方向前方へスライドする。
【００５３】
ピンキーパー１６は、合成樹脂材料又は金属材料から作られ、インナーハウジング１３の内部に収容された状態で多芯角形フェルール１１に当接する。ピンキーパー１６の両側部には、ガイドピン６１の基端部を保持するピン保持部６２が形成されている。ピンキーパー１６では、そのピン保持部６２にガイドピン６１の基端部が保持され、一対のガイドピン６１がピンキーパー１６の両側部から軸方向前方へ延びている。
【００５４】
スプリング１７（ばね）は、ピンキーパー１６とスプリングプッシュ１８との間に設置され、インナーハウジング１３の内部に収容された状態で軸方向へ延びている。スプリング１７（ばね）は、その前端がピンキーパー１６の後端に当接し、その後端がスプリングプッシュ１８のばね当接部７５に当接し、多芯角型フェルール１１及びピンキーパー１６を軸方向前方へ付勢する。
【００５５】
スプリングプッシュ１８は、合成樹脂材料から作られたベース６３と、合成樹脂材料から作られた一対の係合アーム６４，６５と、アルミニウム合金から作られたパイプ６６とを備えている。スプリングプッシュ１８は、インナーハウジング１３の後端開口３３からインナーハウジング１３の内部に係脱可能に係入される（図７，８参照）。スプリングプッシュ１８では、ベース６３とそれら係合アーム６４，６５とが一体成形され、パイプ６６がベース６３にインサート成形によって強固に連結されている。パイプ６６は金属材料として、本実施例ではアルミニウム合金を使用している。
【００５６】
ベース６３は、インナーハウジング１３の頂底壁２５，２６及び両側壁２７，２８の後端３５に位置する。それら係合アーム６４，６５は、ベース６３から軸方向前方へ延びている。それら係合アーム６４，６５の前端部における外側面６７には、それら係合アーム６４，６５の横方向外方（外側）へ凸となる係合爪６８が形成されている。係合爪６８がインナーハウジング１３の中間部３１に形成された係入孔３７に係脱可能に係入することで、それら係合アーム６４，６５がインナーハウジング１３の内部に係合し、スプリングプッシュ１８がインナーハウジング１３に固定される。パイプ６６は、ベース６３から軸方向後方へ延びている。
【００５７】
カシメリング１９は、金属材料から作られ、略円筒状に形成されて軸方向へ延びている。カシメリング１９の前端部には、カシメ部６９が形成されている。スプリングプッシュ１８のパイプ６６とカシメリング１９との間に光ファイバケーブル７０に内蔵／包被された抗張力繊維７６をかしめることにより、パイプ６６がカシメリング１９に連結される。リング２０は、金属材料から作られ、カシメリング１９との間に光ファイバケーブル７０の光ファイバ外被７７をかしめることでカシメリング１９に連結される。
【００５８】
ブーツ２１は、合成樹脂材料又はゴム材料から作られ、略円筒状に成形されて軸方向へ延びている。ブーツ２１にはリング２０（カシメリング１９）が圧入され、ブーツ２１の内周面とリング２０（カシメリング１９）の外周面とが密着することで、カシメリング１９（スプリングプッシュ１８）がブーツ２１に連結される。なお、光ファイバ素線２４を包被する光ファイバケーブル７０がカシメリング１９及びブーツ２１に挿通されてブーツ２１の後端から軸方向後方へ延出している。
【００５９】
図７は、スプリングプッシュ１８をインナーハウジング１３に係合させる以前の状態で示すそれらの斜視図であり、図８は、スプリングプッシュ１８をインナーハウジング１３に係合させた状態のそれらの斜視図である。図９は、図８のＣ−Ｃ線矢視断面図である。
【００６０】
ＭＰＯ光コネクタプラグ１０では、スプリングプッシュ１８のそれら係合アーム６４，６５をインナーハウジング１３の後端開口３３からインナーハウジング１３の内部に挿入するときに、それら係合アーム６４，６５の係合爪６８がインナーハウジング１３の後部３０の後半分３９を画成する両側壁２７，２８に形成されたガイド４０に当接し、それら係合アーム６４，６５がガイド４０に沿って横方向内方へ弾性変形しつつ、それら係合アーム６４，６５がインナーハウジング１３の内部に次第に進入する。
【００６１】
それら係合アーム６４，６５の前端部がインナーハウジング１３の中間部３１に進んだときに、それら係合アーム６４，６５が横方向外方へ弾性変形し、それら係合アーム６４，６５の係合爪６８がインナーハウジング１３の中間部３１に形成された係入孔３７に係入し（嵌り込み）、スプリングプッシュ１８がインナーハウジング１３の内部に固定される。スプリング１７（ばね）によって多芯角型フェルール１１及びピンキーパー１６が軸方向前方へ付勢される。
【００６２】
ＭＰＯ光コネクタプラグ１０では、それら係合アーム６４，６５の係合爪６８がインナーハウジング１３の中間部３１に形成された係入孔３７に係入し、スプリングプッシュ１８がインナーハウジング１３に係合したときに（一対の係合アーム６４，６５をインナーハウジング１３の後端開口３３からインナーハウジング１３の内部に挿入したときに）、インナーハウジング１３の頂底壁２５，２６及び両側壁２７，２８の後端３５から軸方向前方に向かって延びる第１〜第４凸部４２，４６，５０，５４の縦辺４３，４７，５１，５５にそれら係合アーム６４，６５の後端部の外周が囲繞される。第１〜第４凸部４２，４６，５０，５４（縦辺４３，４７，５１，５５）は、それら係合アーム６４，６５の後端部の外周の直近（近傍）に位置する。
【００６３】
ＭＰＯ光コネクタプラグ１０は、それら係合アーム６４，６５の後端部の外周が第１〜第４凸部４２，４６，５０，５４の縦辺４３，４７，５１，５５に囲繞され、第１〜第４凸部４２，４６，５０，５４（縦辺４３，４７，５１，５５）がそれら係合アーム６４，６５の後端部の外周の直近（近傍）に位置するから、所定の外力によってそれら係合アーム６４，６５がインナーハウジング１３の内部において遊動したときに、それら係合アーム６４，６５の後端を含む後端部が第１〜第４凸部４２，４６，５０，５４の縦辺４３，４７，５１，５５の何れかに当接し、それら係合アーム６４，６５の後端部が第１〜第４凸部４２，４６，５０，５４の縦辺４３，４７，５１，５５に支持されるから、それら係合アーム６４，６５に外力が作用した場合のそれら係合アーム６４，６５の撓りや撓み、捩れ等の変形がそれら凸部４２，４６，５０，５４によって防止される。
【００６４】
ＭＰＯ光コネクタプラグ１０は、軸方向前方に向かうにつれてインナーハウジング１３の横方向内方へ次第に傾斜するガイド４０がインナーハウジング１３の後部３０の後半分３９を画成する両側壁２７，２８に形成され、スプリングプッシュ１８の一対の係合アーム６４，６５をインナーハウジング１３の後端開口３３からインナーハウジング１３の内部に挿入するときに、それら係合アーム６４，６５がガイド４０に沿って横方向内方へ弾性変形するから、それら係合アーム６４，６５をインナーハウジング１３の内部に容易に挿入することができ、それら係合アーム６４，６５をインナーハウジング１３の内部に容易に係合させることができる。
【００６５】
ＭＰＯ光コネクタプラグ１０は、一方の側壁２７における第１凸部４２と第３凸部５０との縦方向の離間寸法がそれら係合アーム６４，６５の係合爪６８の縦方向の寸法と略同一又はそれら係合アーム６４，６５の係合爪６８の縦方向の寸法よりもわずかに大きく、他方の側壁２８における第２凸部４６と第４凸部５４との縦方向の離間寸法がそれら係合アーム６４，６５の係合爪６８の縦方向の寸法と略同一又はそれら係合アーム６４，６５の係合爪６８の縦方向の寸法よりもわずかに大きく、それら係合アーム６４，６５をインナーハウジング１３の後端開口３３からインナーハウジング１３の内部に挿入するときに、それら係合アーム６４，６５の係合爪６８がそれら凸部４２，４６，５０，５４に当接することはなく係合爪６８がそれら凸部４２，４６，５０，５４の間に挿通され、それら凸部４２，４６，５０，５４が邪魔になることはなく、それら係合アーム６４，６５をインナーハウジング１３の内部に容易に挿入することができ、それら係合アーム６４，６５をインナーハウジング１３の内部に容易に係合させることができる。
【００６６】
ＭＰＯ光コネクタプラグ１０は、頂壁２５における第１凸部４２と第２凸部４６との横方向の離間寸法がそれら係合アーム６４，６５の外側面６７どうしの横方向の離間寸法と略同一又はそれら係合アーム６４，６５の外側面６７どうしの横方向の離間寸法よりもわずかに大きく、底壁２６における第３凸部５０と第４凸部５４との横方向の離間寸法がそれら係合アーム６４，６５の外側面６７どうしの横方向の離間寸法と略同一又はそれら係合アーム６４，６５の外側面６７どうしの横方向の離間寸法よりもわずかに大きく、それら係合アーム６４，６５をインナーハウジング１３の後端開口３３からインナーハウジング１３の内部に挿入するときに、それら係合アーム６４，６５がそれら凸部４２，４６，５０，５４に当接することはなく、それら凸部４２，４６，５０，５４の間に挿通され、それら凸部４２，４６，５０，５４が邪魔になることはなく、それら係合アーム６４，６５をインナーハウジング１３の内部に容易に挿入することができ、それら係合アーム６４，６５をインナーハウジング１３の内部に容易に係合させることができる。
【００６７】
ＭＰＯ光コネクタプラグ１０を光コネクタアダプタ７３に接続するには、インナーハウジング１３を光コネクタアダプタ７３の挿入開口から光コネクタアダプタ７３の内部に挿入する。インナーハウジング１３を光コネクタアダプタ７３の内部に次第に挿入すると、インナーハウジング１３が光コネクタアダプタ７３に係合し、ＭＰＯ光コネクタプラグ１０が光コネクタアダプタ７３に接続される。インナーハウジング１３が光コネクタアダプタ７３に係合することで、ＭＰＯ光コネクタプラグ１０の光コネクタアダプタ７３に対する接続が維持される。
【００６８】
図１０は、他の一例として示すインナーハウジング７１の斜視図であり、図１１は、図１０のインナーハウジング７１の背面図である。図１２は、縦曲げ引っ張り試験を示すとともに縦曲げ引っ張り試験の結果を表示した図であり、図１３は、横曲げ引っ張り試験を示すとともに横曲げ引っ張り試験の結果を表示した図である。
【００６９】
図１０，１１に示すインナーハウジング７１が図４，５に示すそれと異なるところは、頂底壁２５，２６と両側壁２７，２８とが交差する第１〜第４角４１，４５，４９，５３に第１〜第４凸部４２，４６，５０，５４が形成されていない点にあり、その他の構成は図４，５のインナーハウジング１３のそれらと同一であるから、図４，５のインナーハウジング１３と同一の符号を付すとともに、図４，５のインナーハウジング１３の説明を援用することで、このインナーハウジング７１におけるその他の構成の説明は省略する。
【００７０】
インナーハウジング７１では、その後部３０であって頂壁２５と一方の側壁２７とが交差する第１角４１に第１凸部４２が形成されておらず、その後部３０であって頂壁２５と他方の側壁２８とが交差する第２角４５に第２凸部４６が形成されていない。インナーハウジング７１では、その後部３０であって底壁２６と一方の側壁２７とが交差する第３角４９に第３凸部５０が形成されておらず、その後部３０であって底壁２６と他方の側壁２８とが交差する第４角５３に第４凸部５４が形成されていない。
【００７１】
図１０のインナーハウジング７１にスプリングプッシュ１８が係合したときに（一対の係合アーム６４，６５をインナーハウジング７１の後端開口３３からインナーハウジング７１の内部に挿入したときに）、インナーハウジング７１の後部３０の後半分３９とそれら係合アーム６４，６５の後端を含む後端部との間に所定の間隙（スペース）が形成される。図１０のインナーハウジング７１では、図４，５に示すインナーハウジング１３とは異なり、それら係合アーム６４，６５の後端部の外周が第１〜第４凸部４２，４６，５０，５４に囲繞されることはなく、それら係合アーム６４，６５に外力が作用した場合、それら係合アーム６４，６５がインナーハウジング７１の内部において大きく遊動し、それら係合アーム６４，６５に撓りや撓み、捩れ等の大きな変形が生じる。
【００７２】
図１２に示す縦曲げ引っ張り試験では、ＭＰＯ光コネクタプラグ１０や図１０のインナーハウジング７１を備えたＭＰＯ光コネクタプラグ７２を光コネクタアダプタ７３に接続し、光コネクタアダプタ７３をロードセル７４に連結し、ＭＰＯ光コネクタプラグ１０，７２のブーツ２１から軸方向後方へ延びる光ファイバケーブル７０を縦方向（垂直方向）へ略直角に折り曲げ、光ファイバケーブル７０の後端部を固定した。ＭＰＯ光コネクタプラグ１０，７２を光コネクタアダプタ７３に接続した状態において、図１２に矢印で示すように、ロードセル７４（光コネクタアダプタ７３）を縦方向（垂直方向）へ引っ張り、ＭＰＯ光コネクタプラグ１０，７２に所定の引っ張り荷重を作用させた。
【００７３】
図１３に示す横曲げ引っ張り試験では、ＭＰＯ光コネクタプラグ１０や図１０のインナーハウジング７１を備えたＭＰＯ光コネクタプラグ７２を光コネクタアダプタ７３に接続し、光コネクタアダプタ７３をＸ軸を中心に９０度回転させた状態でロードセル７４に連結し、ＭＰＯ光コネクタプラグ１０，７２のブーツ２１から軸方向後方へ延びる光ファイバケーブル７０を縦方向（垂直方向）へ略直角に折り曲げ、光ファイバケーブル７０の後端部を固定した。ＭＰＯ光コネクタプラグ１０，７２を光コネクタアダプタ７３に接続した状態において、図１３に矢印で示すように、ロードセル７４（光コネクタアダプタ７３）を縦方向（垂直方向）へ引っ張り、ＭＰＯ光コネクタプラグ１０，７２に所定の引っ張り荷重を作用させた。
【００７４】
図１０の第１〜第４凸部４２，４６，５０，５４が形成されていないインナーハウジング７１を備えたＭＰＯ光コネクタプラグ７２の縦曲げ引っ張り試験の結果として、図１０のインナーハウジング７１を備えたＭＰＯ光コネクタプラグ７２のブーツ２１から軸方向後方へ延びる光ファイバケーブル７０を縦方向（垂直方向）へ略直角に折り曲げ、図１２に示すように、ロードセル７４（光コネクタアダプタ７３）を縦方向（垂直方向）へ引っ張ったときのＭＰＯ光コネクタプラグ７２が破壊される破壊荷重は、最大破壊荷重が５．２６ｋｇｆ、最小破壊荷重が４．８９ｋｇｆであり、平均破壊荷重が５．０５ｋｇｆであった。
【００７５】
また、図１０の第１〜第４凸部４２，４６，５０，５４が形成されていないインナーハウジング７１を備えたＭＰＯ光コネクタプラグ７２の横曲げ引っ張り試験の結果として、図１０のインナーハウジング７１を備えたＭＰＯ光コネクタプラグ７２のブーツ２１から軸方向後方へ延びる光ファイバケーブル７０を横方向（水平方向）へ略直角に折り曲げ、図１３に示すように、ロードセル７４（光コネクタアダプタ７３）を縦方向（垂直方向）へ引っ張ったときのＭＰＯ光コネクタプラグ７２が破壊される破壊荷重は、最大破壊荷重が４．０２ｋｇｆ、最小破壊荷重が３．６３ｋｇｆであり、平均破壊荷重が３．７９ｋｇｆであった。
【００７６】
図１０のインナーハウジング７１を備えたＭＰＯ光コネクタプラグ７２は、光コネクタアダプタ７３との接続状態において光ファイバケーブル７０が垂直方向（縦方向）及び水平方向（横方向）へ略直角に折り曲げられてＭＰＯ光コネクタプラグ７２に所定の荷重が作用したときのＭＰＯ光コネクタプラグ７２の平均破壊荷重が低い。
【００７７】
したがって、図１０のインナーハウジング７１を備えたＭＰＯ光コネクタプラグ７２では、光コネクタアダプタ７３との接続状態において光ファイバケーブル７０が垂直方向（縦方向）及び水平方向（横方向）へ略直角に折り曲げられ、ＭＰＯ光コネクタプラグ７２に引っ張り荷重が作用した場合、ＭＰＯ光コネクタプラグ７２が少ない力で容易に破壊され、光ファイバ接続が切断される場合がある。
【００７８】
インナーハウジング１３を備えたＭＰＯ光コネクタプラグ１０の縦曲げ引っ張り試験の結果として、ＭＰＯ光コネクタプラグ１０のブーツ２１から軸方向後方へ延びる光ファイバケーブル７０を縦方向（垂直方向）へ略直角に折り曲げ、図１２に示すように、ロードセル７４（光コネクタアダプタ７３）を縦方向（垂直方向）へ引っ張ったときのＭＰＯ光コネクタプラグ１０が破壊される破壊荷重は、最大破壊荷重が７．６０ｋｇｆ、最小破壊荷重が５．８５ｋｇｆであり、平均破壊荷重が６．６１ｋｇｆであった。
【００７９】
また、インナーハウジング１３を備えたＭＰＯ光コネクタプラグ１０の横曲げ引っ張り試験の結果として、図１０のインナーハウジング１３を備えたＭＰＯ光コネクタプラグ１０のブーツ２１から軸方向後方へ延びる光ファイバケーブル７０を横方向（水平方向）へ略直角に折り曲げ、図１３に示すように、ロードセル７４（光コネクタアダプタ７３）を縦方向（垂直方向）へ引っ張ったときのＭＰＯ光コネクタプラグ１０が破壊される破壊荷重は、最大破壊荷重が５．７６ｋｇｆ、最小破壊荷重が５．３４ｋｇｆであり、平均破壊荷重が５．５８ｋｇｆであった。
【００８０】
インナーハウジング１３を備えたＭＰＯ光コネクタプラグ１０は、図１０のインナーハウジング７１を備えたＭＰＯ光コネクタプラグ７２と比較し、光コネクタアダプタ７３との接続状態において光ファイバケーブル７０が垂直方向（縦方向）及び水平方向（横方向）へ略直角に折り曲げられてＭＰＯ光コネクタプラグ１０に所定の荷重が作用したときのＭＰＯ光コネクタプラグ１０の平均破壊荷重が高いことが分かる。
【００８１】
なお、インナーハウジング１３を備えたＭＰＯ光コネクタプラグ１０では、光ファイバケーブル７０を縦方向（垂直方向）へ略直角に折り曲げ、光コネクタアダプタ７３を縦方向へ引っ張ったときのＭＰＯ光コネクタプラグ１０が破壊される平均破壊荷重は５．００ｋｇｆ以上が好ましく、光ファイバケーブル７０を横方向（垂直方向）へ略直角に折り曲げ、光コネクタアダプタ７３を横方向へ引っ張ったときのＭＰＯ光コネクタプラグ１０が破壊される平均破壊荷重は５．００ｋｇｆ以上が好ましい。
【００８２】
ＭＰＯ光コネクタプラグ１０は、インナーハウジング１３の頂底壁２５，２６と両側壁２７，２８とが交差する４つの第１〜第４角４１，４５，４９，５３の対角線に対向する角に向かって凸となる第１〜第４凸部４２，４６，５０，５４がインナーハウジング１３の後部３０であってそれら４つの第１〜第４角４１，４５，４９，５３に形成され、第１〜第４凸部４２，４６，５０，５４がインナーハウジング１３の頂底壁２５，２６及び両側壁２７，２８の後端３５から軸方向前方であってインナーハウジング１３の後部３０の後半分３９に延びており、一対の係合アーム６４，６５をインナーハウジング１３の後端開口３３からインナーハウジング１３の内部に挿入したときに、それら係合アーム６４，６５の後端部の外周が第１〜第４凸部４２，４６，５０，５４の縦辺４３，４７，５１，５５に囲繞されるとともに、第１〜第４凸部４２，４６，５０，５４の縦辺４３，４７，５１，５５がそれら係合アーム６４，６５の後端部の外周の直近（近傍）に位置し、所定の外力によってそれら係合アーム６４，６５がインナーハウジング１３の内部において遊動したときに、それら係合アーム６４，６５の後端を含む後端部が第１〜第４凸部４２，４６，５０，５４の縦辺４３，４７，５１，５５に当接し、それら係合アーム６４，６５の後端部が第１〜第４凸部４２，４６，５０，５４の縦辺４３，４７，５１，５５に支持されるから、それら係合アーム６４，６５に外力が作用した場合のそれら係合アーム６４，６５の撓りや撓み、捩れ等の変形がそれら凸部４２，４６，５０，５４によって防止され、ＭＰＯ光コネクタプラグ１０を所定の光コネクタアダプタ７３に接続した状態において、光ファイバケーブル７０が垂直方向（縦方向）及び水平方向（横方向）へ略直角に折り曲げられた状態で引っ張られたときのＭＰＯ光コネクタプラグ１０の平均破壊荷重を高くすることができる。
【００８３】
ＭＰＯ光コネクタプラグ１０は、光コネクタアダプタ７３との接続状態において光ファイバケーブル７０が垂直方向（縦方向）及び水平方向（横方向）へ略直角に折り曲げられ、ＭＰＯ光コネクタプラグ１０に所定の引っ張り荷重が作用したとしても、光ファイバ接続を維持することができ、光ファイバ接続が不用意に解除される切断事故を防ぐことができる。
【符号の説明】
【００８４】
１０    ＭＰＯ光コネクタプラグ
１１    多芯角型フェルール
１２    フェルールブーツ
１３    インナーハウジング
１４    アウターハウジング
１５    ハウジング用スプリング
１６    ピンキーパー
１７    スプリング（ばね）
１８    スプリングプッシュ
１９    カシメリング
２０    リング
２１    ブーツ
２２    光ファイバ
２３    先端面
２４    光ファイバ素線
２５    頂壁
２６    底壁
２７    側壁
２８    側壁
２９    前部
３０    後部
３１    中間部
３２    前端開口
３３    後端開口
３４    前端
３５    後端
３６    スプリング収容部
３７    係入孔
３８    前半分
３９    後半分
４０    ガイド
４１    第１角
４２    第１凸部
４３    縦辺
４４    横辺
４５    第２角
４６    第２凸部
４７    縦辺
４８    横辺
４９    第３角
５０    第３凸部
５１    縦辺
５２    横辺
５３    第４角
５４    第４凸部
５５    縦辺
５６    横辺
５７    頂壁
５８    底壁
５９    側壁
６０    側壁
６１    ガイドピン
６２    ピン保持部
６３    ベース
６４    係合アーム
６５    係合アーム
６６    パイプ
６７    外側面
６８    係合爪
６９    カシメ部
７０    光ファイバケーブル
７１    インナーハウジング
７２    ＭＰＯ光コネクタプラグ
７３    光コネクタアダプタ
７４    ロードセル
７５    ばね当接部
７６    抗張力繊維
７７    光ファイバ外被
【図１】
2020170135.tif 000003
【図２】
2020170135.tif 000004
【図３】
2020170135.tif 000005
【図４】
2020170135.tif 000006
【図５】
2020170135.tif 000007
【図６】
2020170135.tif 000008
【図７】
2020170135.tif 000009
【図８】
2020170135.tif 000010
【図９】
2020170135.tif 000011
【図１０】
2020170135.tif 000012
【図１１】
2020170135.tif 000013
【図１２】
2020170135.tif 000014
【図１３】
2020170135.tif 000015